(57)【特許請求の範囲】
【請求項１】
円筒形の首部及び該首部の側面に突出する運搬用突起部を有するボトルと、該ボトルの首部の周囲に螺着する蓋体と、該蓋体の周囲に設けられる保護キャップからなるボトル蓋部の保護構造であって、前記保護キャップが、円筒形の側面部と、該側面部の上辺から内側へ延出する上面部とを有し、前記側面部の内側に蓋体の下端又はボトル首部外周の環状凸部に係止して上側への移動を妨げる鉤状突起を設け、かつ少なくとも前記上面部から側面部にかけて所定の間隔で縦方向に２本の脆弱線を形成し、該脆弱線の間を切取ることにより保護キャップを取り外すことを可能としたものにおいて、前記側面部及び脆弱線が前記蓋体の下端の高さよりも下方へ延出してボトルの首部を囲む延長部を形成するとともに、該延長部の下辺に前記運搬用突起部に対応する切込みを設けたことを特徴とするボトル蓋部の保護構造。
【請求項２】
前記保護キャップの脆弱線の下端を前記延長部の切込み内に設けたことを特徴とする請求項１記載のボトル蓋部の保護構造。
【発明の詳細な説明】
【技術分野】
【０００１】
本発明は、薬剤等の商品を収容して販売するためのボトル、特に略円筒形の首部と該首部の側面に突出する運搬用突起部を有するボトルにおいて、商品がボトルに充填された後に第三者が容器の蓋を外しても容易に発見できるようにした開封検知性を備えた保護構造に関するものである。
【背景技術】
【０００２】
開封検知性の保護構造は、商品が充填された後に容器をひそかに開封し内部の商品を抜き取ったり異物を混入したりする行為を防ぐため、容器の開口部を覆うように保護部材を設け、保護部材を破壊しなければ容器を開けることができないようにしたものである。このような保護構造として、自動化された加熱包装装置により容器全体や蓋体の周囲を熱収縮性フィルムで覆い、フィルムの一部を切取らなければ開封できないようにしたものや、蓋体の側壁を一周する脆弱線を設け、開封の際に蓋体の下部が切取られて瓶の首部に残るようにしたものが知られている。
【０００３】
平成６年実用新案公告公報第６−２４３５６号に記載の発明は、円筒状の首部を有する容器と首部に外嵌される蓋体からなる容器に開封検知のため設けられる合成樹脂製の保護キャップであり、円筒状の保護キャップ本体に上壁と抜け止め用突起と開封用の切取り部とを設けてなるものである。保護キャップ本体は、容器蓋体や口部の外径よりも大きな内径で、蓋体の高さ又は口部の鍔の位置よりも深く形成されている。本体の上端に上壁を形成して蓋体の抜け出しを防ぐとともに、側壁の内側に容器蓋体又は容器外周部の鍔と係合する複数の抜け止め用突起を形成して保護キャップの上方への移動を防いでいる。上記保護キャップ本体には、所定の間隔で形成された上下方向の２本の溝が形成され、前記上壁部の対応するスリットを利用してそれらの間の小片を切取ることにより保護キャップを破断して容器蓋体を開くことができるようにしている。
【特許文献１】実公平０６−２４３５６号公報
【０００４】
上記の発明では、包装時には容器に螺合される蓋体の上から保護キャップを被せると、保護キャップ本体の内周壁に斜め上向きに形成された突起が蓋体の底部と係合して、保護キャップの上側への移動を阻止し、保護キャップ本体が容器蓋体の側壁を覆った状態に維持される。保護キャップの内周壁は容器蓋体よりもやや大径であり、表面は滑らかに仕上げられているので、容器を開封しようと保護キャップの上から力を掛けて蓋体を回そうとしても保護キャップが蓋体の上を空転し、容易に蓋体を緩めることができない。開封するときは、上壁のスリットの間をつまんで引き起こせば、前記２本の溝に沿って保護キャップ本体が切断されて開環し、容器蓋体から取り外せる状態となるので、保護キャップを取り外し蓋体を回して開封すればよい。
【０００５】
また特開２００５−１５３９６４号公報記載の容器は、筒状の首部を有する容器体と首部に外嵌されるキャップからなる容器の口部構造に、開封検知のためキャップ上面より周壁全部を覆って封緘筒が設けられている。封緘筒には全体を縦断する切取帯を切取り可能に設けると共に、封緘筒の上面には内側へ延出する係合部を設けてキャップの上方への抜け出し及び封緘筒の下方への抜け出しを防止し、他方で封緘筒の側面部の内側に設けた弾性係合片が容器外周部の環状凸部若しくはキャップの周壁下面に係合して封緘筒の上方への抜け出しを防止している。また、封緘筒とキャップの間に隙間を設けることにより封緘筒ごとキャップを回す行為を防止できると述べているが、一方で封緘筒の無駄な回動を防止するために下端部にリブを突設して容器外周に当接させることが記載されている（００２３等）。
【特許文献２】特開２００５−１５３９６４号
【発明の開示】
【発明が解決しようとする課題】
【０００６】
従来の熱収縮性フィルムを用いた保護構造では、専用の加熱装置を必要とし少量生産品ではコストアップ要因になると共に、商品・容器の種類によっては加熱処理を施しにくいという問題があった。また開封の際に蓋体の下部が切取られるようにしたものは、容器や蓋体の形状に合わせて個別に設計しなければならず、汎用性に劣るという問題があった。
【０００７】
特許文献１に開示された開封検知性を備えた保護キャップは、予め成形しておいて容器密閉後に取付けることのできる合成樹脂製のものである。保護キャップの本体は円筒形であり容器口部に対して回転可能であるが、保護キャップの内周面を容器蓋体よりも大径にし表面を滑らかにすることにより、保護キャップの外側から力を掛けて回しても蓋体に対して空転するように構成している。しかし蓋体の材質や大きさによっては外側から大きな力を掛けることによって内側の蓋体を空けることが不可能とは言えない。また薬品のように厳重な管理が必要な製品では、より確実な容器の開封検知の方法が求められている。
【０００８】
特許文献２記載に開示された封緘筒も、同様に合成樹脂製の成形品であり、封緘筒とキャップの間に隙間を設けて遊嵌状態にすることにより封緘筒の上から力を掛けて開封する行為を防止しているが、上と同様に、容器の材質や大きさによっては開封検知性が十分とはいえず、また製品の種類によってはより確実な開封検知の方法が必要となる。
【０００９】
本発明の目的は、特に首部の側面に突出する運搬用突起部を有するボトルにおけるボトル蓋部の保護構造において、保護キャップの上から蓋体ごと回して開封する行為を確実に防ぐことのできるボトル蓋部の保護構造を提供することである。本発明の別の目的は、運搬用突起部を有するボトルの蓋体の周囲に設ける保護キャップを、縦方向の脆弱線で破断して開封する場合において、開封が容易に行えるような脆弱部の配置を提案することである。
【課題を解決するための手段】
【００１０】
請求項１記載の発明は、円筒形の首部及び該首部の側面に突出する運搬用突起部を有するボトルと、該ボトルの首部の周囲に螺着する蓋体と、該蓋体の周囲に設けられる保護キャップからなるボトル蓋部の保護構造であって、前記保護キャップが、円筒形の側面部と、該側面部の上辺から内側へ延出する上面部とを有し、前記側面部の内側に蓋体の下端若しくはボトル首部外周の環状凸部に係止して上側への移動を妨げる鉤状突起を設け、かつ少なくとも前記上面部から側面部にかけて所定の間隔で縦方向に２本の脆弱線を形成し、該脆弱線の間を切取ることにより保護キャップを取り外すことを可能としたものにおいて、前記側面部及び脆弱線が前記蓋体の下端の高さよりも下方へ延出してボトルの首部を囲む延長部を形成するとともに、該延長部の下辺に前記運搬用突起部に対応する切込みを設けたことを特徴とするボトル蓋部の保護構造により、上記の課題を解決する。
【００１１】
本発明のボトル蓋部の保護構造では、予め成形しておいて容器密閉後に蓋体の上から取付けることのできる合成樹脂製の保護キャップを用いる。蓋体が保護キャップの上側に抜け出ないように保護キャップの上面部により蓋体の上面を抑えて抜け止めとし、また側面部の内側に設けた鉤状突起により保護キャップ自身の上方への移動を阻止する。さらに保護キャップを装着したままの状態で蓋体を回転させることができないよう、従来から使用されていた保護キャップと蓋体の間の遊嵌状態に加えて、保護キャップの側面部の下側に、前記鉤状突起の位置を越えてさらに下方へ延出する略円筒形の延長部を設け、この延長部に前記ボトルの首部側面に設けられた運搬用突起が入り込む切込みを設けることにより、保護キャップとボトルが相互に回転できない構成としているので、保護キャップの上から蓋体を回転させる行為を確実に防止することができる。
【００１２】
ボトルの首部側面に設けられる運搬用突起部としてはボトル本体から一定長さ突出するものであればよく、１個とは限らず複数であっても良い。保護キャップの内側に設ける鉤状突起は、蓋体の下端とボトル首部外周の環状凸部のいずれかに係止するものであり、蓋部上方から側面部を外嵌したときにこれらと対応するような高さに設けられる。好ましくは蓋体の下端に係止させることにより、ボトル首部の形状に関係なく保護キャップを装着することができる。鉤状突起は等間隔に複数個を設けることが好ましく、好ましくは９０°間隔で４個を設けることができる。
【００１３】
請求項２記載の発明は、請求項１記載のボトル蓋部の保護構造において、前記保護キャップの脆弱線の下端を前記延長部の切込み内に設けたことにより脆弱線を短くし、開封操作を容易にしている。また保護キャップの切取り部を取っ手を押さえた手の方向へ引く形になるので開封時にボトルが不安定になることが防止される。
【発明を実施するための最良の形態】
【００１４】
以下、図面を参照しながら、本発明の具体的な実施形態について説明する。
【実施例１】
【００１５】
本発明の実施例を図１〜図５に基づいて説明する。図１は、取っ手を有するボトルに本発明の蓋部の保護構造を適用した状態を示す全体斜視図である。ボトル１はガラスや合成樹脂からなり、口部周囲が細くなる略円筒形の首部を有し、該首部の側面の一方に突出する環状取っ手のような運搬用突起部１ａを備えている。ボトル１の口部周囲にはねじ部が設けられ、上方より蓋体２を外嵌して内側のねじ部を螺着させることにより容器を密閉し、さらに該蓋体の上方から予め成形した合成樹脂製の保護キャップ３を装着して開封検知性を備えた保護構造を構成している。
【００１６】
図２は、図１の保護キャップの拡大斜視図である。保護キャップ３は蓋体の側壁を覆う略円筒形の側面部３ａと、該側面部３ａの上辺から内側へ延出する略円形の上面部３ｂと、側面部３ａの下端から略円筒形に延出してボトルの首部を囲む延長部３ｃから主に構成されている。（点線は側面部３ａと延長部３ｃの境界を示す。）また、前記上面部３ｂから側面部３ａ、延長部３ｃにかけて所定の間隔で２本の脆弱線３ｅ，３ｅが形成され、該脆弱線の間の切取り部３ｆを切取ることにより側面部３ａを破断して開環することができる。この脆弱線３ｅ，３ｅは保護キャップ３の成形時に溝、ミシン目等の通常の手段により形成することができる。延長部３ｃの下端はボトル１の肩部にほぼ当接する位置にあり、下辺には前記ボトル１の運搬用突起１ａの上面に対応する形状の切込み３ｄが設けられている。本実施例では、前記切取り部３ｆの脆弱線３ｅ，３ｅは切込み３ｄに対応する水平位置に設けられ、下端は切込み３ｄの上辺で終わっている。
【００１７】
図３は図１の保護キャップ２の平面図である。保護キャップ３の側面部３ａの内側には、蓋体２の側壁下端に係止して保護キャップ２の上側への移動を妨げる鉤状突起３ｈが等間隔に４個設けられている。４個の鉤状突起３ｈは、平面視で切取り部３ｆの位置を基点にして４５°、１３５°、２２５°、３１５°の位置にそれぞれ設けられ、上面部３ｂの対応する位置には鉤状突起３ｈを成形する時に用いる装置の移動を可能にするため半月状の窓部３ｉがそれぞれ開設されている。また前記切取り部３ｆの上側から上面部３ｂの中央部にかけて、開封時に切取り部３ｆの切り取りを容易にするための舌片３ｇが設けられている。舌片３ｇの下面には凸部が形成されて周囲に隙間を形成し、開封時に指で引き起こしやすくなっている。
【００１８】
図４、図５はボトルの密封状態における保護構造の全体を、それぞれボトルの中心軸と鉤状突起３ｈ若しくは切取り部３ｆを含む垂直面において切った縦断面図である。蓋体２は周壁内側のねじ部がボトル１の口部周囲のねじ部に螺着することによりボトル１の口部に装着されている。図４においては保護キャップ３の鉤状突起３ｈの先端が中心軸側へ弾発して蓋体２の周壁の下面に当接することにより、保護キャップ３が蓋体２に対して上側へ移動するのを阻止している。保護キャップ３の延長部３ｃはボトル１の肩部の表面に近い部分まで下方へ延びているが、図５においてはボトル１の肩部右側に環状の取っ手１ａが突出して延長部３ｃの切込み３ｄへ嵌入している。本実施例では切込み３ｄの位置では延長部３ｃがほぼ省略され側面部３ａの下部が直接取っ手１ａの上面に当接しているが、切込み３ｄの位置は延長部３ｃの範囲内であれば取っ手１ａの位置及び寸法に応じて任意に定めることができる。
【００１９】
本実施例の保護構造を用いてボトル１を封緘するには、ボトル１の口部に蓋体２を外嵌しねじ部を螺着させて密閉したのち、上方から保護キャップ３を外嵌すると、側面部３ａの内側の４個の鉤状突起３ｈが側面部３ａの内面に倣うような形に上方へ弾性変形し、蓋体２の側面を乗り越えて再び内方へ弾発し、蓋体下端とボトル首部の間に入り込んだ係合状態となる。その後は保護キャップ３を上方へ引き抜こうとしても鉤状突起３ｈの先端が蓋体２の下端に係合するので引き抜けない。
【００２０】
上の保護構造を開封するときには、保護キャップ３の上面部３ｂの中央に設けられた舌片３ｇを指で引き起こして外側へ引っ張れば、一連の動作により保護キャップ３の側面部３ａ及び切込み３ｄの上辺にかけて設けられた２条の脆弱線３ｅ，３ｅが破断し、その間の切取り部３ｆが除去されて保護キャップ３が開環するので、保護キャップ３全体を容易に変形させてボトル１の首部から取り去ることができる。一度取り去った保護キャップ３はもはや破断されているので、再び元通りに装着することはできない。
【００２１】
本発明の保護構造では、開封前は蓋体２の側面は保護キャップ３の側面部３ａに完全に覆われている上、延長部３ｃの下辺に切込みが設けられてボトル１の取っ手１ａと係合し、下辺の他の部分はボトル１の肩部付近まで延出しているので、保護キャップ３をボトル１首部に対して回転させることができない。従って保護キャップ３の上から力を加えて蓋体２ごと回転させて開封する行為は不可能であり、もし何らかの方法で保護構造が開封された場合には、脆弱線３ｅ，３ｅの破断により容易に開封の事実を検知することができる。
【００２２】
上記の実施例は実施形態の一例であり、権利範囲を限定するものではない。例えば本実施例では運搬用突起物は１個の環状の取っ手であるが、複数個を設けても良く、また形状も棒状のハンドルや孔部を有しない板状体等さまざまなものに適用でき、保護キャップ３の切込み３ｄの形状を変えるだけで対応が可能である。保護キャップの側面部内側の鉤状突起先端の係止方法は、本実施例では蓋体の周壁の下面に当接させているが、特許文献２の実施例４と同様にボトルの首部の周囲に設けた環状凸部に当接させてもよい。鉤状突起の数も４個に限らず、任意の数を設けることができる。
【産業上の利用可能性】
【００２３】
本発明のボトル蓋部の保護構造では、予め成形される合成樹脂製保護キャップの延長部に切込みを設けておき、ボトル密閉後にこの保護キャップを装着し切込みをボトル首部の運搬用突起物に嵌合させることで合理的にボトルの開封検知性を高めることができるので、特に大型のボトルの蓋部の保護構造としてきわめて有用である。
【図面の簡単な説明】
【００２４】
【図１】取っ手を有するボトルに本発明の蓋部の保護構造を適用した状態を示す全体斜視図
【図２】図１の保護キャップ部の拡大斜視図
【図３】図１の保護キャップ部の平面図
【図４】図３のＡ−Ａ面に対応する本発明の保護構造の縦断面図
【図５】図４のＢ−Ｂ面に対応する本発明の保護構造の縦断面図
【符号の説明】
【００２５】
１  容器本体
１ａ  取っ手
２  蓋体
３  保護キャップ
３ａ  側面部
３ｂ  上面部
３ｃ  延長部
３ｄ  切込み
３ｅ  脆弱線
３ｆ  切取り部
３ｇ  舌片
３ｈ  鉤状突起
３ｉ  窓部
【図１】
0005586338.tif 000002
【図２】
0005586338.tif 000003
【図３】
0005586338.tif 000004
【図４】
0005586338.tif 000005
【図５】
0005586338.tif 000006